(57)【要約】【課題】包装対象の製品への貼着性能を高め、かつ、製品の取り外しも容易に行なえる形状の自己粘着性シートを備える平形電子製品の貼着包装パッケージを提供すること。【解決手段】複数個の平形電子製品が配列される方向に折り曲げ罫線が設けられた段ボールパッケージ台紙１１と、この段ボールパッケージ台紙の前記折り曲げ罫線上に固定され、前記配列し貼着された前記平形電子製品が取り出される場合に、前記折り曲げ罫線で山折りし、これを境にして平形電子製品の貼着の一部が剥がされる自己粘着性シート１２ａ，１２ｂとを有する。【選択図】　図１
2004106906.tif 000002
【特許請求の範囲】
【請求項１】
複数個の平形電子製品が配列される方向に折り曲げ罫線が設けられた段ボールパッケージ台紙と、
この段ボールパッケージ台紙の前記折り曲げ罫線上に固定され、前記配列し貼着された前記平形電子製品が取り出される場合に、前記折り曲げ罫線で山折りし、これを境にして平形電子製品の貼着の一部が剥がされる自己粘着性シートとを有することを特徴とする平形電子製品の貼着包装パッケージ。
【請求項２】
前記自己粘着性シートの中心線は、前記折り曲げ罫線から離れた位置に、平行に固定され、配列、貼着される前記平型電子製品の中心線は、前記自己粘着性シートの中心線と同じ側に、同じく折り曲げ罫線から離れて貼着されたことを特徴とする請求項１に記載の平形電子製品の貼着包装パッケージ。
【請求項３】
複数個の平形電子製品が配列される長さを有する段ボールパッケージ台紙と、
この段ボールパッケージ台紙に固定される、前記平形電子製品の高さとほほ等しい幅で前記段ボールパッケージ台紙と等しい長さの自己粘着性テープとを有し、
前記自己粘着性テープ及び前記段ボールパッケージ台紙に、前記平形電子製品が取り出される場合に、山折りされる切込み罫線を有することを特徴とする平形電子製品の貼着包装パッケージ。
【請求項４】
平形電子製品の複数個の配列の長さを有する折り曲げ罫線を設けた段ボールパッケージ台紙と、
そのそれぞれの上面に配列した複数の平形電子製品がそれぞれに異なる面積で貼着され、この平形電子製品を取り出す場合に、前記折り曲げ罫線で前記段ボールパッケージ台紙を山折りして、前記平形電子製品の貼着の一方を剥がし、この剥がれ部分を把持して製品を引き外すために、前記折り曲げ罫線に沿う両側に固定された幅が異なる２本の前記段ボールパッケージ台紙と等しい長さの自己粘着性テープとから成ることを特徴とする平形電子製品の貼着包装パッケージ。
【発明の詳細な説明】
【０００１】
【発明の属する技術分野】
本発明は、リチウムイオン二次電池などの平形電子製品の貼着包装パッケージに関する。
【０００２】
【従来の技術】
従来、リチウムイオン二次電池などのような平形で比較的小物の製品を、ある程度の数量を纏めて包装梱包する場合、図３に示すように、切り抜き穴３３ａ、３３ｂを設けた段ボールパッキング台紙３２に、自己粘着性シート３４ａ、３４ｂ、３４ｃ、３４ｄを両面接着テープなどにより固定した梱包包装パッケージを用いる。そしてそれぞれ組となるこの自己粘着性シート３４ａ、３４ｂ、または３４ｃ、３４ｄの上面に包装対象の製品３１ａ〜３１ｎを、跨るように貼着する包装梱包が行なわれていた（例えば、特許文献１参照。）。
【０００３】
切り抜き穴３３ａ、３３ｂは、貼着された製品３１ａ〜３１ｎをこの包装から取り外す時に、製品のこの切り抜き穴部分に指を掛けて、製品の引き剥がしを容易に行なうために設けられ、穴幅が概ね５ｍｍ以上であり、貼着する製品の貼り付けピッチ３５は、指が掛けられる概ね５〜１０ｍｍ程度の間隔で貼着される。
【０００４】
【特許文献１】
特開２００２−４２７６０号公報
【０００５】
【発明が解決しようとする課題】
上に述べたように、従来の切り抜き穴を設けた段ボールパッキング台紙３２に自己粘着性シート３４ａ、３４ｂ、３４ｃ、３４ｄを固定した梱包包装パッケージでは、貼着する製品の間に貼り付けピッチ３５を設けるために、このピッチ３５の合算分だけ包装容積が大きく成り、包装のコストパーフォーマンスが低下する問題があった。また、切り抜き穴３３ａ、３３ｂには自己粘着性シートが無く、製品を固定する吸着面積が減少するため、輸送中に製品貼着の剥がれが発生するなど、包装品質の低下が大きな問題点となっていた。
【０００６】
この発明は、上記の従来の梱包包装パッケージの問題点に鑑みてなされたもので、包装対象の製品への貼着性能を高め、かつ、製品の取り外しも容易に行なえる形状の自己粘着性シートを備える平形電子製品の貼着包装パッケージの提供することを目的とする。
【０００７】
【課題を解決するための手段】
上記の目的を達成するために、本発明の請求項１によれば、複数個の平形電子製品が配列される方向に折り曲げ罫線が設けられた段ボールパッケージ台紙と、この段ボールパッケージ台紙の前記折り曲げ罫線上に固定され、前記配列し貼着された前記平形電子製品が取り出される場合に、前記折り曲げ罫線で山折りし、これを境にして平形電子製品の貼着の一部が剥がされる自己粘着性シートとを有することを特徴とする平形電子製品の貼着包装パッケージを提供する。
【０００８】
本発明の請求項２によれば、前記自己粘着性シートの中心線は、前記折り曲げ罫線から離れた位置に、平行に固定され、配列、貼着される前記平型電子製品の中心線は、前記自己粘着性シートの中心線と同じ側に、同じく折り曲げ罫線から離れて貼着されたことを特徴とする請求項１に記載の平形電子製品の貼着包装パッケージを提供する。
【０００９】
本発明の請求項３によれば、複数個の平形電子製品が配列される長さを有する段ボールパッケージ台紙と、この段ボールパッケージ台紙に固定される、前記平形電子製品の高さとほほ等しい幅で前記段ボールパッケージ台紙と等しい長さの自己粘着性テープとを有し、前記自己粘着性テープ及び前記段ボールパッケージ台紙に、前記平形電子製品が取り出される場合に、山折りされる切込み罫線を有することを特徴とする平形電子製品の貼着包装パッケージを提供する。
【００１０】
本発明の請求項４によれば、平形電子製品の複数個の配列の長さを有する折り曲げ罫線を設けた段ボールパッケージ台紙と、そのそれぞれの上面に配列した複数の平形電子製品がそれぞれに異なる面積で貼着され、この平形電子製品を取り出す場合に、前記折り曲げ罫線で前記段ボールパッケージ台紙を山折りして、前記平形電子製品の貼着の一方を剥がし、この剥がれ部分を把持して製品を引き外すために、前記折り曲げ罫線に沿う両側に固定された幅が異なる２本の前記段ボールパッケージ台紙と等しい長さの自己粘着性テープとから成ることを特徴とする平形電子製品の貼着包装パッケージを提供する。
【００１１】
【発明の実施の形態】
以下、本発明の実施形態を図面により詳細に説明する。
【００１２】
図１は、本発明の貼着包装パッケージの一実施形態の概念を示す図で、同図（ａ）は一実施形態の平面図であり、同図（ｂ）は平形電子製品を貼着した実施形態の斜視図、同図（ｃ）は貼着した製品を取り外す直前の実施形態の山折りの状況を示す模式図である。
【００１３】
本実施形態は、段ボールパッキング台紙１１と、これに固定され、複数の平形電子製品１０ａ〜１０ｎが貼着される自己粘着性シート１２ａ、１２ｂとから構成される。
【００１４】
段ボールパッキング台紙１１には、図１（ａ）に示す、山折りを行なうための折り曲げ罫線１３ａ、１３ｂが設けられ、この折り曲げ罫線１３ａ、１３ｂ上で、山折り側となる段ボールパッキング台紙１１の表面に、包装される複数の平形電子製品１０の高さより僅かに短い幅１４の自己粘着性シート１２ａ、１２ｂが両面接着テープなどにより固定されている。この自己粘着性シート１２ａは、折り曲げ罫線１３ａから自己粘着性シート１２ａの折り曲げ把持部１１ａ側の幅Ａと折り曲げ罫線１３ａから自己粘着性シート１２ａの段ボールパッキング台紙１１の中心線側の幅Ｂの関係が、Ａ≦Ｂとなる位置に固定される。
【００１５】
平形電子製品１０ａ、１０ｂ〜１０ｎの配列は、図１（ｂ）に示すように、平形電子製品相互が触れ合わない僅かな間隔１５をその間に設けて、自己粘着性シート１２ａ、１２ｂの上に配置し、これに貼着される。
【００１６】
上述の構成による本実施形態の複数の平形電子製品が貼着された段ボールパッケージは、平形電子製品の配列が２列の形態のパッケージを単独で使用する他に、複数のこの段ボールパッケージを横に並べて、あるいは上下に積み重ねて一括包して装梱包されて使用される。
【００１７】
さらに、本実施形態の貼着された平形電子製品を取り外す場合には、折り曲げ把持部１１ａ（１１ｂ）を折り曲げ罫線１３ａ（１３ｂ）で、同図（ｃ）に示すように、山折りした把持部１６ａの状態にする。
【００１８】
図２は、貼着した製品を取り外す状況を示す模式図である。
【００１９】
図２（ａ）に示すように、例えば同図の右側の製品配列に対し、折り曲げ把持部１１ｂを保持し、折り曲げ罫線１３ａを軸にして、自己粘着性シート１２ａの幅Ａ部が各平形電子製品の下面から剥離するまで折り曲げ把持部１１ａを折り曲げて、山折りした把持部１６ａの状態にする。
【００２０】
次に、同図（ｂ）に示すように、自己粘着性シート１２の剥離した平形電子製品の端部を掴み、自己粘着性シート１２の幅Ｂ部と付着する部分を剥離して、平形製品１０ａを引き剥がすことができる。製品を引続き取り外す必要がない場合には、山折りした把持部１６ａを元の平面の位置まで戻し、保管する。製品を再び取り外すときは、再度、折り曲げ把持部１１ａを折り曲げて山折りした把持部１６ａの状態にし、当該の製品を引き剥がす。右側列の製品が無くなれば、段ボールパッキング台紙１１を１８０度回転し、左側の製品の折り曲げ罫線１３ｂを軸に折り曲げて、同様に平形電子製品を順次引き剥がすことができる。
【００２１】
本実施形態によれば、従来の切り抜き穴を設けた段ボールパッキング台紙による包装梱包で、製品引き剥がしの時に指を掛ける為に平形電子製品の間に設けた広いピッチが不要になり、製品が接触しない程度の僅かな間隙を設けるだけで良い。したがって、１枚の段ボールパッケージに収納する平形電子製品の配置密度を高めても、容易に製品を引き剥がすことができ、包装梱包の容積を小さくして梱包コストを低減する効率の良い包装梱包が可能である。
【００２２】
また、本実施形態の平形電子製品と自己粘着性シートの粘着面は、切り抜き穴が無く、平形電子製品の下面のほぼ全域とすることができるので、包装梱包の固定を堅固とすることができ、包装梱包の品質の向上を図る効果もある。
【００２３】
【発明の効果】
以上、説明したように、本発明の貼着包装パッケージは、梱包密度を高めても平形電子製品の取り外しも容易に行なえる、事前に折り曲げ罫線により自己粘着シートの一部を剥離する形状を備える。しかも、包装対象の製品のほぼ下面全域が貼着面となり、貼着性能が高い、梱包コストの低減と梱包品質の向上を図る効果がある。
【図面の簡単な説明】
【図１】本発明の貼着包装パッケージの一実施形態の概念を示す図。
【図２】一実施形態の貼着した製品を取り外す状況を示す模式図。
【図３】従来の貼着包装パッケージを示す図。
【符号の説明】
１０ａ、１０ｂ〜１０ｎ、３１ａ、３１ｂ〜３１ｎ・・・平形電子製品、
１１、３２・・・段ボールパッキング台紙、
１１ａ、１１ｂ・・・折り曲げ把持部、
１２ａ、１２ｂ、３４ａ〜３４ｄ・・・自己粘着性シート、
１３ａ、１３ｂ・・・折り曲げ罫線、
１４・・・自己粘着性シートの幅
１５・・・間隔、
１６ａ・・・山折りした把持部、
３３ａ、３３ｂ・・・穴、
３５・・・ピッチ。
【図１】
2004106906.tif 000003
【図２】
2004106906.tif 000004
【図３】
2004106906.tif 000005